(57)【要約】  【課題】睡眠時に長時間にわたり安定して使用できるうつぶせ寝用寝具を提供しようとする。  【解決手段】前方に位置し人の頭部及び顔面部の一部を載置するクッション性を有する枕部と、人の顔面部から股部にかけた部分に前後方向に互いに並行にかつ互いに密着して設置される束ねられたクッション性を有する複数の円筒体から成る胴体部とを含んでなり、前記枕部の使用時の高さは前記胴体部の使用時の高さと同等又はそれ以上とされ、前記胴体部の前方端部と前記枕部とが連結されてなるうつぶせ寝用寝具である。前記複数の円筒体のうち両外側の円筒体の上端部位置より内側円筒体の上端部位置を股部方向に少許下げられ得る。また、前記枕部に並設した補助枕と、この補助枕から延び、前記胴体部に所定の間隙を有して並行に位置させた補助円筒体とからなる補助寝具を備え得る。前記枕部と前記胴体部、前記補助寝具を一つの専用の布団カバー内に収納され、使用され得る。  【選択図】図９
2008167898.tif 000002
【特許請求の範囲】
【請求項１】
基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部とを含んでなり、
前記枕部の使用時の高さは前記胴体部の使用時の高さと同等又はそれ以上とされ、
前記胴体部の前方端部と前記枕部とが連結されてなるうつぶせ寝用寝具。
【請求項２】
前記枕部はその後方端部を前方に凹ませ、前記胴体部との間に少許の空隙を生じせしめられる請求項１に記載のうつぶせ寝用寝具。
【請求項３】
前記複数の円筒体のうち一部のものが先細りに形成した請求項１乃至２に記載のうつぶせ寝用寝具。
【請求項４】
前記複数の円筒体のうち両外側の円筒体の上端部位置より内側円筒体の上端部位置を股部方向に少許下げてなる請求項１乃至３に記載のうつぶせ寝用寝具。
【請求項５】
前記枕部に並設した補助枕と、この補助枕から延び、前記胴体部に所定の間隙を有して並行に位置し、並設した補助円筒体とからなる補助寝具を備えてなる請求項１乃至４に記載のうつぶせ寝用寝具。
【請求項６】
前記枕部と前記胴体部、前記補助寝具を一つの布団カバー内に収納され使用される請求項５に記載のうつぶせ寝用寝具。
【発明の詳細な説明】
【技術分野】
【０００１】
本発明は、うつぶせ寝に適した寝具に関する。
【背景技術】
【０００２】
うつぶせ寝は、聖路加病院の日野原先生等の医師によっても提唱されている（例えば、
非特許文献１参照）ように、健康によいとされている。
医師の説によれば、人間も元来は四つ足の動物と同じく内臓がうつぶせ寝時の向きにあることが安定した状態であり、睡眠時も、この状態をとること、即ち、うつぶせ寝が健康上好ましいとされる。うつぶせ寝を習慣づけることにより、ひとつには舌根沈下が防止される。また、誤嚥が防止される。舌根沈下は無呼吸症候群の原因であり、誤嚥は、糖尿病
などで免疫力の低下した人にとっては誤嚥性肺炎や気管支炎の原因となる。うつぶせ寝により唾液の分泌が促進され、睡眠時に雑菌を唾液とともに口外に排出することができる。また、うつぶせ寝は痰の排出を容易にする。
【０００３】
医師の説によれば、楽なうつぶせ寝のポイントは、頭を横向きにし、マットと身体の間に隙間が出来ないようにクッションで埋めることである。
【０００４】
従来の寝具においてもうつぶせ寝を目的にしたものがいくつか提案されているが、これらは特殊な用途に用いられるものが多く、一般人が日常的に用いるのに適したものではなかった。とくに、上記のような楽なうつぶせ寝を実現させるものではなかった。
【０００５】
うつぶせ寝用寝具としては、上面が開放されている互いに平行な多数の溝が刻まれた、比較的固いクッション材と、この比較的固いクッション材の上面に重ねられた柔らかいクッション材であって、その上面から固いクッション材の溝に至るように、多数の空気孔が
設けられたものからなる寝具が開示されている（例えば、特許文献１参照）が、これは幼児用のものである。また、上記のような楽なうつぶせ寝を実現させるものではない。
【０００６】
また、枕本体の中央部に使用者の顔面の輪郭形状にほぼ相応した形状の孔を設け、使用者の顔面周縁部を受ける、少なくとも枕本体の孔の周縁部が弾性材料で構成され、横方向には予定の範囲でほぼ水平に変位できるが縦方向には変位しないように枕本体を支持体に装着したことを特徴とする枕が開示されている（例えば、特許文献２参照）が、これは医療用のまくらであり一般日常の継続使用には不適である。
【０００７】
さらに、コの字型の骨格部分とクッション部分とから成り、骨格部分に、空気の出入り
が可能な穴または隙間を有し、額を当てる部分の手前に鼻を挿入するための穴もしくは隙間を有し、後頭部または額・頬部を支えるための凹みを有する枕が開示されている（例えば、特許文献３参照）が、この枕は使用時に寝返りなどで枕が頭部からずれた場合、睡眠状態で元の装着状態に戻すことが難しい。また、上記のような楽なうつぶせ寝を実現させるものではない。
【特許文献１】特開２００３−６１７９１号公報
【特許文献２】特開平１０−２７７１０２号公報
【特許文献３】特開平７−２７５０９８号公報
【非特許文献１】「うつぶせ寝健康法」監修：日野原  重明（聖路加国際病院理事長  同名誉院長）、著者：川島  みどり（日本赤十字看護大学教授）  丸山  征四郎（兵庫医科大学教授）、発行：ｋ k ベストセラーズ、発行日：２００５年１２月８日
【発明の開示】
【発明が解決しようとする課題】
【０００８】
日野原医師の著書「うつぶせ寝健康法」によれば、うつぶせ寝のポイントは、頭部を横向きにし、マットと身体の間に隙間ができないようにクッションで埋めることであるとされ、具体的には、枕やクッションの使い方とそのポジションにあるとされている。
【０００９】
著書によれば、うつぶせ寝によって生じる身体と寝具との隙間を調整するために、小道具として薄い枕、折ったり畳んだりして高さを調整した夏蒲団、おでこや顎をのせる小さな枕などに工夫を凝らしながら、うつぶせ寝を自分の身体に覚えさせる努力を重ねることがうつぶせ寝に成功する秘訣であるとされ、著者はその結果３ヶ月をかけて体得されたとされている。
【００１０】
しかし、複数の小道具を身体の最適な位置に配置してうつぶせ寝を実現しても、人は寝返りもし、就眠中でも身体が動く。それに合わせて、小道具類の再配置作業は睡眠の妨げになる。安心して朝まで睡眠に専念できるうつぶせ寝のための専用の寝具の出現が待たれる。
【００１１】
また、うつぶせ寝をすると、人によっては首だけでなく肩や手足などの身体の各部が痛んだりする。日野原医師もその著書のなかで、あおむけに寝ていた人がうつぶせ寝に慣れるまでにはちょっと時間がかかるかもしれません。また、首の筋が伸びにくい人は最初うつぶせ寝が苦しいと感じる場合もあるでしょうと著書の中で認めている。
【００１２】
本発明は、上記事実に鑑みてされたものであり、その目的は、うつぶせ寝のために特別の長期の訓練や、首を捻るなどの難行苦行を必要とすることもなく、誰もが簡易に安心して使用することができるうつぶせ寝用寝具を提供することである。
【００１３】
本発明の他の目的は、うつぶせ寝を行うと、身体と寝具との間に腕等が介在することなどにより必然的に生じる隙間を、何の小道具も要せず、手足をうつぶせ寝のための専用の寝具の上から基床に向けて開放することで解決し、また、使用時の感触が柔らかく、人に優しいうつぶせ寝用専用の寝具を提供することである。
【課題を解決するための手段】
【００１４】
本発明の要旨とするところは、基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部とを含んでなり、前記枕部の使用時の高さは前記胴体部の使用時の高さと同等又はそれ以上とされ、前記胴体部の前方端部と前記枕部とが連結されてなるうつぶせ寝用寝具であることにある。
【００１５】
前記枕部はその後方端部を前方に凹ませ、前記胴体部との間に少許の空隙を生じせしめられ得る。
【００１６】
前記複数の円筒体のうち一部のものが先細りに形成され得る。
【００１７】
前記複数の円筒体のうち両外側の円筒体の上端部位置より内側円筒体の上端部位置を股部方向に少許下げられ得る。
【００１８】
前記枕部に並設した補助枕と、この補助枕から延び、前記胴体部に所定の間隙を有して並行に位置し、並設した補助円筒体とからなる補助寝具を備え得る。
【００１９】
前記枕部と前記胴体部、前記補助寝具を一つの布団カバー内に収納され使用され得る。
【発明の効果】
【００２０】
本発明により、人々はイビキ、睡眠時無呼吸症候群、酸素不足による脳卒中などあお向け寝の弊害等から解放され、またセキが軽くなり、タンが排出され易くなり、血行が改善され、睡眠の質を上げられるとされるうつぶせ寝を実現できる効果がある。
【００２１】
うつぶせ寝用寝具にうつぶせにかぶさり、その上で就眠している人の姿は、亀が自分の甲羅から手足を出し休んでいる状態と同様である。人はこのうつぶせ寝用寝具の上で、身体の頭部から股部までが基床より高く支持され、両手、両足はこの寝具から左右に出て基床上に位置することにより、体重による腕等への荷重は解かれ楽になる効果がある。
【００２２】
うつぶせ寝用寝具では、頭部及び顔面部を載置するクッション性を有する枕部と、人の顔面部から股部にかけた部分に束ねられたクッション性を有する複数の円筒体から成る胴体部によって、身体の頭部から股部までが受け止められ、身体とうつぶせ寝用寝具との間に手足の介在による隙間は発生せず、小道具類も必要としない効果がある。
【００２３】
本発明のうつぶせ寝用寝具では、枕部と胴体部が連結されたとき枕部と胴体部の間に少許の空隙や窪みが生じるので、就寝者は特に首を曲げなくても呼吸時の吸排気は可能になる効果がある。
【００２４】
また、胴体部の左右巾は使用者の胴体の左右巾と同じ巾に設定されるので、使用者が僅かに左右へ傾斜しただけでも、身体は胴体部からはみ出し、その重心移動により体は自然に傾斜する。その結果、顔面部も自然に傾斜し、鼻孔、口の近傍に自然に空間が形成され、鼻呼吸、口呼吸の吸排気は円滑になり、首を曲げないで呼吸ができる効果がある。
【００２５】
また、身体の重心移動により鼻や口が枕部や胴体部の端の近くにある場合、また端からはみ出している場合も基床からは高い位置にあるので首を曲げなくても呼吸はしやすくなる効果がある。
【００２６】
うつぶせ寝用寝具によってうつぶせ寝の状態が続いたあと、寝返り等で、往々にして仰向き寝の状態になり易い問題がある。うつぶせ寝用寝具と補助寝具とは定められた間隔を保っているので仰向き寝状態になることを防ぎ、横向き寝に誘導する効果がある。
【００２７】
うつぶせ寝用寝具によりうつぶせ寝が可能となり、また、その補助寝具により、睡眠中に半ば無意識的に仰向き寝の状態に移行しようとする動きがけん制され、横向き寝あるいはうつぶせ寝に再び移行する確率が高くなる効果がある。
【００２８】
仰向き寝の状態の睡眠は、無呼吸症候群における無呼吸状態の誘発の要因でもあり、本発明のうつぶせ寝用寝具とその補助寝具の使用により、この無呼吸状態の誘発を防止できる効果がある。
【００２９】
うつぶせ寝用寝具とその補助寝具の使用上の問題点は、１、長大で嵩張る。２、うつぶせ寝によって鼻汁や涎で寝具が汚れやすい。３、身体と両寝具の重量で寝具間の間隔がズレやすい。４、就寝時、両寝具の設定は就寝者にとっては大きな負担になる。
【００３０】
両寝具の使用上の問題は、専用の布団カバー内に収納して使用することで改善される。１、布団カバーによって両寝具が丸くまとめられる。２、鼻汁や涎による汚れは、カバーの洗濯で対応できる。３、布団カバーそのものが、強力でズレない両寝具の連結袋である。４、両寝具は、布団カバー内で設定済みであり就寝時に敷布団上にひろげるだけである。  
【００３１】
長大で嵩張る、うつぶせ寝用寝具とその補助寝具を一緒に一つの専用の布団カバー内に閉じ込めて、両寝具をカバーごと使用すれば、カバーのもつ面や形の力によって両寝具の間に設定された間隔が強固に保たれる効果がある。一方、両寝具を結ぶ連結手段としては帯状の布紐はやや非力なので、主として間隔の調整手段に徹せられる効果がある。
【発明を実施するための最良の形態】
【００３２】
本発明のうつぶせ寝用寝具の態様について説明する。なお、本明細書においては、各図にわたって記される同じ符号は同一又は同様の部材やものを示す。図１において、本発明のうつぶせ寝用寝具１は、基床Ｂに前後方向に敷いて用いる寝具であって、前方に位置し人１００の頭部１０１及び顔面部１０２の一部を載置するクッション性を有する枕部３と、人の顔面部１０２から股部１０８にかけた部分に前後方向に互いに並行に、かつ互いに密着して設置される束ねられたクッション性を有する複数の円筒体４から成る胴体部５とを通常含んでなり、胴体部５の前方端部６と、枕部３とが連結されてなるうつぶせ寝用寝具である。
【００３３】
枕部３は人１００のおでこや、顔面部１０２の目の辺りを直接に支持するので、その材質等は市販の枕よりは柔らかめがよい。枕部３の使用時の高さは胴体部５の使用時の高さと同等又はそれ以上とされる。枕部３の高さは５ｃｍ〜２５ｃｍ、大きさは市販されている通常の枕とほとんど変わらない。
【００３４】
胴体部５の前方端部６と、枕部３とは直接接合されていてもよいが、図１(ａ)及び(ｂ)に示すように可撓性の中間部材７を介して着脱自在に連結されていることが不使用時の収納が容易となるうえでも好ましい。
【００３５】
図１(ｂ)においては、可撓性の中間部材７は方形の布地８からなるが、胴体部５の前方端部６と、枕部３とを連結する可撓性の部材であれば布地８に限定されず、紐状の部材からなるものであってもよい。
【００３６】
また、図１、図２においては、端部６と布地８の後端とが面ファスナーにより連結されている。端部６には面ファスナーのオス９が、布地８の後端には面ファスナーのメス１０が配される。
【００３７】
枕部３の前方下縁１１が布地８の前端縁１２と縫い目１３を介して縫合により結合している。この結合はファスナーを介するものであってもよい。枕部３と布地８との結合は面ファスナー、ホックあるいはボタン等の着脱自在な結合手段によるものであってもよい。
【００３８】
図１に示すように、人の顔面部１０２から股部１０８にかけた部分に前後方向に互いに並行に、かつ互いに密着して設置される束ねられたクッション性を有する複数の円筒体４から胴体部５は構成されている。
【００３９】
複数の円筒体４は前後方向に互いに並行に並べられ、かつ、隣り合う円筒体４の各側部１４が縫い目１３を介して縫い合により結合している。円筒体４の各側部１４の結合は接着剤等によるものでもよい。図４に示すように、円筒体４は更に布１５で束ねられ胴体部５が完成する。
【００４０】
図１、図２に示すように、人１００の頭部１０１及び顔面部１０２の一部を載置するクッション性を有する枕部３は、その後方端部１７を前方に凹ませることで、胴体部５と枕部３とが連結されたとき、両者の間には少許の空隙１６を生じさせることができる。
【００４１】
図1、図２に示すように、円筒体４のうち両外側の円筒体４の上端部位置１８より内側円筒体４の上端部位置１８を股部１０８方向に少許下げることで、胴体部５と枕部３とが連結されたとき、両者の間には複合された少許の空隙１６を生じさせることができる。
【００４２】
図５に示すように、円筒体４のうち内側の３個の円筒体４が先細りの円筒体４１に形成され、それらの円筒体４が束ねられて成る胴体部５と枕部３とが連結されたとき、両者の間には少許の空隙１６を生じさせることができる。
【００４３】
これ等の複合された少許の空隙１６は、枕部３と胴体部５とが連結されたとき、鼻孔１１０、口１１１の近傍に空隙１６を形成し、呼吸時の給排気を円滑にする。
【００４４】
図５に示す図は、うつぶせ寝用寝具の使用者が、例えば巨人である場合には、例えば２個の円筒体４と３個の円筒体４１から成る胴体部５を用いた例図である。
【００４５】
図６に示す図は、うつぶせ寝用寝具の使用者が、例えば標準を超える体格の人である場合には、例えば４個の円筒体４から成る胴体部５を用いた例図である。
【００４６】
複数の円筒体４から成る胴体部５の左右巾は使用者の胴部１０６の左右巾に一致するように作られる。かりに胴体部５の左右巾が使用者の胴部１０６の左右巾よりも広いと、胴体部５の上で仰向き寝の状態を誘発させる恐れがあり、うつぶせ寝用寝具としての機能が達成できなくなるからである。
【００４７】
胴体部５の左右巾が使用者の胴部１０６の巾に近ければ、就寝時に胴体部５の上で腰部107辺りを、微妙な感覚で左右にくねらすと身体が僅かに傾斜する。その結果、顔面部も自然に傾斜し、鼻孔１１０、口１１１の近傍に自然に空間が形成され、鼻呼吸、口呼吸の吸排気は円滑になり、首を無理に曲げないで呼吸ができる。
【００４８】
また、就寝時に胴体部5の外で手足１１３の位置を僅かに動かすだけで、胴部１０６も僅かに傾斜しバランスをとる。胴体部５は、例えば蒲鉾のような形なので、その上面部だけでなく、側面部も使ってうつぶせ寝に少しでも広く使う。たとえば、顔面部がその側面部から多少はみだしても、首は苦しくない。したがって、呼吸は楽である。
【００４９】
１個だけの円筒体４から成る胴体部５は、左右へのバランスの機能がやや低くなる恐れがある。それぞれ独立した２個以上の円筒体４から成る胴体部５は左右への安定を確保しやすい。
【００５０】
複数の円筒体４から成る胴体部５は長時間人体に敷かれることとなることから、胴体部５を構成する円筒体４は比較的柔らかいクッション性の部材からなるとともに、体重の重さに耐える強さを持つことが望まれる。
【００５１】
円筒体４は、例えば、筒状の袋に布団綿やスポンジのようなクッション材を充填したものや、または、気密性を保つことができる柔らかい円筒状の容器などに気体や液体を充填したものであることが好ましい。あるいは、毛布のような嵩高な布体を筒状に巻き取った巻き体であってもよい。円筒体４の横幅は５〜３０ｃｍ、長さは５０〜１５０ｃｍであることが好ましい。
【００５２】
うつぶせ寝をしているとき、頭部１０１が枕部３からずれたりはずれたりした場合でも、胴体部５が位置ガイドとなって意識的あるいは半ば無意識的に身体を動かして頭部１０１の位置をもとに戻すことが容易になる。
【００５３】
図３は、うつぶせ寝用寝具１を用いてうつぶせ寝の状態で就寝をしている図である。枕部３及び胴体部５のようなクッション性のある物体が、人の頭部１０１、顔面部１０２、肩部１０３、胸部１０４、腹部１０５、胴部１０６、腰部１０７、股部１０８にわたって敷かれた状態にあることは、睡眠の安定にとって重要である。このことは、前述の日野原医師によっても提唱されている。
【００５４】
うつぶせ寝をしているときに、胴体部５から身体が外れても、枕部３が位置ガイドとなって意識的あるいは半ば無意識的に身体を動かして顔面部１０２から股部１０８の位置をもとにもどすことが容易になる。
【００５５】
図３に示すように、うつぶせ寝の状態においては、手１１２は身体に敷かれてはおらず身体からはなれて存在しており、うつぶせ寝用寝具上では手１１２などによる隙間は発生しない。手は概ね基床Ｂに位置している。
【００５６】
うつぶせ寝用寝具１を補助する不可欠な寝具として、横向き寝用の補助寝具２がある。補助寝具２は補助枕３０と補助円筒体４０とから成る。
【００５７】
図７に示すように、補助円筒体４０の前方内側端部１９と補助枕３０の外側側部２０とが縫い目１３を介して縫合により結合している。
【００５８】
図８に示すように、補助円筒体４０の前方端部２１と補助枕３０の後方外側端部２２とが縫い目１３を介して縫合により結合している。
【００５９】
これらの結合はファスナー、面ファスナー、ホック、あるいはボタン等の着脱自在な結合手段によるものであってもよい。
【００６０】
補助寝具２は、肩部１０３、あるいは胸部１０４、胴部１０６の背後１０８に補助円筒体が当たって仰向きの状態へ移行することを防止し、横向き寝に誘導する機能を発揮する。補助枕３０は横向きの頭部１０１を安定して載置する。
【００６１】
図９は、うつぶせ寝用寝具１にその補助寝具２を連結して使用できる状態に組み立てられたものである。
【００６２】
枕部３の側部２３と向かい合う補助枕３０の側部２４に、それぞれ連結手段の帯状の布紐２５が備えられている。側部２３に備えられた帯状の布紐２５には面ファスナーのオス９が、側部２４に備えられた帯状の布紐２５には面ファスナーのメス１０が配され、使用者の胴部１０６の前後巾を目安に面ファスナーの結合により連結される。可撓性の中間部材であれば帯状の布紐に限定されない。
【００６３】
胴体部５の下方端部２６と向かい合う補助円筒体４０の後方端部２７には、それぞれ連結手段の帯状の布紐２５が備えられている。胴体部５の後方端部２６に備えられた帯状の布紐２５には面ファスナーのオス９が、補助円筒体４０の後方端部２７に備えられた帯状の布紐２５には面ファスナーのメス１０が配され、使用者の胴部１０６の前後巾を目安に面ファスナーの結合により連結される。可撓性の中間部材であれば布紐に限定されない。
【００６４】
枕部３と補助枕３０との結合や胴体部５と補助円筒体４０との結合は、紐、ファスナー、ホックあるいはボタン等の着脱自在な結合手段によるものであってもよい。
【００６５】
図１１は、うつぶせ寝用寝具１とその補助寝具２とが面ファスナーの結合により連結される部分の拡大図である。
【００６６】
図１２は、うつぶせ寝用寝具１から寝返りなどで補助寝具２に、横向きに就寝している状態の図で、枕部３と補助枕３０及び補助枕３０の上で、斜め横向きの頭部と補助円筒体４０を、横一線上で切断した断面図である。
【００６７】
図１３は、うつぶせ寝用寝具１とその補助寝具２とを用いて、就寝者が横向き寝の状態で就寝している状態を示す。
【００６８】
横向き寝の状態においては、人１００の背後部１０９と胸部１０４及び胴部１０６のいずれかがうつぶせ寝用寝具１と補助寝具２の間に位置する。
【００６９】
補助寝具２は、背後部１０９側、又は、胸部１０４側にあって、うつぶせ寝用寝具１と共に、身体が仰向き寝にならないように横向き寝の状態にある身体を挟み、身体が継続してその状態が続くように維持することを目的とする。
【００７０】
補助円筒体４０は身体に長く敷かれる状態が続くので、胴体部５を構成する円筒体４より比較的柔らかいクッション性の部材からなることが好ましい。
【００７１】
補助円筒体４０の横幅乃至高さは５〜３０ｃｍであることが好ましい。長さは、横向き寝の状態で後端が人の腰の近傍に達するほどの５０〜１５０ｃｍであることが好ましい。補助枕３０の形状、大きさ、柔らかさは一般に市販されている普通の枕と同じでよい。
【００７２】
図１４はうつぶせ寝用寝具１を中央に配置し、補助寝具２が左右に配置されている平面図である。人によっては、身体の右側を下に、または、その逆に身体の左側を下に寝返りをする習性があるといわれている。このような習性を利用して、左右の一方にのみ補助寝具２を配置すればよい。
【００７３】
また、やむを得ず左右いずれかにしか補助寝具２を用意できない場合には、就寝者は意識的あるいは半ば無意識的に、自然にその用意されているその方向に反応するようになる。
【００７４】
図１５は、うつぶせ寝用寝具１とその補助寝具２を一緒に収納することで両寝具を全体として使用可能状態にする専用の布団カバー２８の図である。布団カバーを収納口のある下方から見た下面図である。収納口を下側とした理由は、人１００と寝具の重量によって更に結合力の増す面ファスナーを布団カバーの最下部に配置したことを示すためである。
【００７５】
結合する手段はボタン、ホック、ファスナー等を用いてもよい。布団カバー２８内では長大で嵩張る寝具、さらには身体の重力もかかる。重力によって更に結合力の増す面ファスナーをカバー２８の閉じ部である最下部に利用するのが好ましい。
【００７６】
長大で嵩張るうつぶせ寝用寝具１とその補助寝具２を、一つの専用の布団カバー２８内に一緒に入れ、両寝具をカバー２８ごと使えば、カバー２８のもつ面や形の力によって、両寝具の間に設定される使用者に最適な間隔が強固に保たれる効果がある。両寝具を結ぶ連結手段としての帯状の布紐２５はやや非力なので、主として、両寝具の間隔の調整手段に徹するのが好ましい。
【００７７】
その他、本発明は、主旨を逸脱しない範囲で当業者の知識に基づき種々なる改良、修正、変更を加えた態様で実施できるものである。
【図面の簡単な説明】
【００７８】
【図１】本発明のうつぶせ寝用寝具の第一の実施例を示す側面図である。
【図２】本発明のうつぶせ寝用寝具の第一の実施例を示す上面図である。
【図３】本発明のうつぶせ寝用寝具を用いてうつぶせに就寝している状態を示す図である。
【図４】本発明のうつぶせ寝用寝具の胴体部を示す上面図である。
【図５】本発明のうつぶせ寝用寝具の第二の実施例を示す上面図である。
【図６】本発明のうつぶせ寝用寝具の第三の実施例を示す上面図である。
【図７】本発明のうつぶせ寝用寝具の補助寝具の第一の実施例を示す上面図である。
【図８】本発明のうつぶせ寝用寝具の補助寝具の第二の実施例を示す上面図である。
【図９】本発明のうつぶせ寝用寝具とその補助寝具の第一の実施例を示す上面図である。
【図１０】本発明のうつぶせ寝用寝具とその補助寝具の第二の実施例を示す上面図である。
【図１１】図９、図１０、図１５に示すうつぶせ寝用寝具とその補助寝具の第一、第二、第三の実施例において、枕部と補助枕、及び胴体部と補助円筒体とのそれぞれの接合部の拡大図である。
【図１２】図１０の第二の実施例において、実際に人が用いた状態での、枕部と補助枕及び頭部と補助円筒体とを横一線に切断した断面図である。
【図１３】うつぶせ寝用寝具とその補助寝具を用いて横向きに就寝している状態を示す斜視図である。
【図１４】うつぶせ寝用寝具とその補助寝具の第三の実施例を示す上面図である。
【図１５】うつぶせ寝用寝具とその補助寝具を一つの布団カバー内に一緒に収納することで使用ができる。カバーの収納口がある下方から見た専用カバーの下面図である。
【符号の説明】
【００７９】
うつぶせ寝用寝具
補助寝具
Ｂ：基床  
３、枕部
４、円筒体
５、胴体部
６：端部
７：可撓性の中間部材
８：方形の布地
９：面ファスナーのオス
１０：面ファスナーのメス
１１：枕部の前方下縁
１２：布地の前端縁
１３：縫い目
１４：円筒体の側部
１５：胴体部を包む布
１６、空隙
１７：枕部の後方端部
１８、上端部位置
１９：補助円筒体の前方内側端部
２０：補助枕の外側側部
２１：補助円筒体の前方端部
２２：補助枕の後方外側端部
２３：枕部の側部
２４：補助枕の側部
２５：帯状の布紐
２６：胴体部の後方端部
２７：補助円筒体の後方端部
２８：うつぶせ寝用寝具とその補助寝具の専用布団カバー
【図１】
2008167898.tif 000003
【図２】
2008167898.tif 000004
【図３】
2008167898.tif 000005
【図４】
2008167898.tif 000006
【図５】
2008167898.tif 000007
【図６】
2008167898.tif 000008
【図７】
2008167898.tif 000009
【図８】
2008167898.tif 000010
【図９】
2008167898.tif 000011
【図１０】
2008167898.tif 000012
【図１１】
2008167898.tif 000013
【図１２】
2008167898.tif 000014
【図１３】
2008167898.tif 000015
【図１４】
2008167898.tif 000016
【図１５】
2008167898.tif 000017